(57)【要約】【課題】車両後方から吹く風の風力が強くても、ドアが車両前方に向けて急激に開くことを防止し得る車両用ドア開閉装置を簡易に構成する。【解決手段】車両用ドア開閉装置は、ドア開閉ロック機構１０、タッチセンサ２２，２３（触れ検出手段）およびドア開閉ＥＣＵ２１（制御手段）を備える。ドア開閉ロック機構１０は、ドア開閉ロックソレノイド１１とリンク１２とを備え、開放中のスイングドアＤＲをその開放位置に保持するロックモードと、開放位置に保持されたスイングドアＤＲの開閉動作を許容するロック解除モードとのいずれかに切り換える。タッチセンサ２２，２３は、乗員の指の触れを検出する。ドア開閉ＥＣＵ２１は、タッチセンサ２２，２３により指の触れが検出されないときドア開閉ロック機構１０をロックモードに切り換え、タッチセンサ２２，２３により指の触れが検出されているときドア開閉ロック機構１０をロック解除モードに切り換える。【選択図】図１
2008248625.tif 000002
【特許請求の範囲】
【請求項１】
ドアインサイドハンドルまたはドアアウトサイドハンドルの手動操作により車内または車外から開閉されるスイングドアと車体間に設けられ、開放中の前記スイングドアをその開放位置に保持するロックモードと、前記開放位置に保持された前記スイングドアの開閉動作を許容するロック解除モードとのいずれかに切り換え可能なドア開閉ロック機構と、
前記ドアインサイドハンドルおよび前記ドアアウトサイドハンドルに設けられ、乗員の指の触れを検出する触れ検出手段と、
前記触れ検出手段により指の触れが検出されないとき前記ドア開閉ロック機構をロックモードに切り換え、前記触れ検出手段により指の触れが検出されているとき前記ドア開閉ロック機構をロック解除モードに切り換える制御手段とを備えていることを特徴とする車両用ドア開閉装置。
【請求項２】
前記ドアアウトサイドハンドルには、ロック解除モード設定スイッチが設けられ、前記制御手段は、前記ロック解除モード設定スイッチがオン操作されたとき、前記触れ検出手段により指の触れが検出されないときも前記ドア開閉ロック機構をロック解除モードとするように設定されている請求項１に記載の車両用ドア開閉装置。
【請求項３】
前記車両用ドア開閉装置は、さらにドア閉検出手段を備え、前記制御手段は、前記ドア閉検出手段により前記スイングドアの閉状態が検出されたとき、前記ロック解除モード設定スイッチのオン操作によるロック解除モード設定の効力を無効化するように設定されている請求項２に記載の車両用ドア開閉装置。
【発明の詳細な説明】
【技術分野】
【０００１】
本発明は、車両用ドア開閉装置に関し、特に開放中のスイングドアをその開放位置に保持可能なドア開閉ロック機構を備えた車両用ドア開閉装置に関する。
【背景技術】
【０００２】
この種の車両用ドア開閉装置として、例えば下記特許文献１に記載されているように、風量検出手段とウィンドウ駆動手段とを備えたものが知られている。この特許文献１に記載された車両用ドア開閉装置では、風量検出手段により一定以上の風量が検出されたとき、ウィンドウ駆動手段によりウィンドウが開動作される。したがって、この車両用ドア開閉装置によれば、例えば車両後方から強い風が吹いている場合には、開放中のドアのウィンドウ開放部分を風が通り抜けるようになるので、風力によりドアが車両前方に向けて急激に開かれることを防止することが可能となり、ドアと障害物等との衝突を回避してドアの破損を防止することが可能となる。
【特許文献１】特開２００５−２５６４２３号公報
【発明の開示】
【発明が解決しようとする課題】
【０００３】
しかしながら、上記特許文献１に記載された車両用ドア開閉装置では、ウィンドウが開放されるまでに所定の時間がかかる。このため、例えば車両後方から吹く風の風力が強い場合には、ウィンドウの開放が間に合わず、ドアが乗員の手から離れて車両前方に向けて急激に開いてしまうおそれがあった。また、この車両用ドア開閉装置では、風量検出手段によりドアの実開閉速度に基づいて風量を計算し、計算された風量に応じてウィンドウ駆動手段によりウィンドウが開動制御されるので、そのシステムが複雑になるという問題もあった。
【０００４】
本発明の課題は、車両後方から吹く風の風力が強くても、ドアが車両前方に向けて急激に開くことを防止し得る車両用ドア開閉装置を簡易に構成することにある。
【課題を解決するための手段及び発明の効果】
【０００５】
上記課題を解決するために、本発明の車両用ドア開閉装置は、ドアインサイドハンドルまたはドアアウトサイドハンドルの手動操作により車内または車外から開閉されるスイングドアと車体間に設けられ、開放中の前記スイングドアをその開放位置に保持するロックモードと、前記開放位置に保持された前記スイングドアの開閉動作を許容するロック解除モードとのいずれかに切り換え可能なドア開閉ロック機構と、前記ドアインサイドハンドルおよび前記ドアアウトサイドハンドルに設けられ、乗員の指の触れを検出する触れ検出手段と、前記触れ検出手段により指の触れが検出されないとき前記ドア開閉ロック機構をロックモードに切り換え、前記触れ検出手段により指の触れが検出されているとき前記ドア開閉ロック機構をロック解除モードに切り換える制御手段とを備えていることを特徴とする。
【０００６】
この車両用ドア開閉装置では、触れ検出手段により指の触れが検出されているときは、ドア開閉ロック機構が、開放位置に保持されたスイングドアの開閉動作を許容するロック解除モードに切り換えられる。したがって、スイングドアを開閉するために乗員がドアインサイドハンドルまたはドアアウトサイドハンドルに設けられた触れ検出手段に触れていれば、ドア開閉ロック機構がロック解除モードに切り換えられるので、通常通りスイングドアの開閉を行うことができる。このとき、例えば車両後方からの強い風により開放中のスイングドアを乗員が支えきれなくなって、スイングドアが乗員の手から離れた場合には、ドア開閉ロック機構がロックモードに切り換えられる。このため、開放中のスイングドアがその開放位置に保持されるので、スイングドアが車両前方に向けて急激に大きく開くことを防止することができる。また、この車両用ドア開閉装置では、風量を計算しないで、触れ検出手段による指の触れの検出に応じてドア開閉ロック機構が作動されるのでそのシステムを簡易に構成することができる。
【０００７】
本発明の実施に際して、前記ドアアウトサイドハンドルには、ロック解除モード設定スイッチが設けられ、前記制御手段は、前記ロック解除モード設定スイッチがオン操作されたとき、前記触れ検出手段により指の触れが検出されないときも前記ドア開閉ロック機構をロック解除モードとするように設定されていることも可能である。
【０００８】
これによれば、ロック解除モード設定スイッチがオン操作されたときは、触れ検出手段により指の触れが検出されないときもドア開閉ロック機構がロック解除モードに設定される。したがって、風の影響によりスイングドアが急激に開くおそれがない場合には、ロック解除モードの設定により、乗員がドアアウトサイドハンドルの触れ接触手段に触れることなくスイングドアを車外から容易に閉めることができる。同様に、ロック解除モードの設定により、乗員がドアインサイドハンドルの触れ接触手段に触れることなくスイングドアを車内から容易に閉めることもできる。
【０００９】
また、本発明の実施に際して、前記車両用ドア開閉装置は、さらにドア閉検出手段を備え、前記制御手段は、前記ドア閉検出手段により前記スイングドアの閉状態が検出されたとき、前記ロック解除モード設定スイッチのオン操作によるロック解除モード設定の効力を無効化するように設定されていることも可能である。
【００１０】
ロック解除モード設定の効力を有効とする状態が続いている場合には、乗員が車内から車外に出ようとしたとき、例えば車両後方から不意に風が吹いたとしても、ドア開閉ロック機構がロックモードに切り換えられないことから、ドアが車両前方に向けて急激に開いてしまう事態も起こり得る。しかし、ドア閉検出手段によりスイングドアの閉状態が検出されたときは、ロック解除モード設定スイッチのオン操作によるロック解除モード設定の効力が無効化されるように設定すれば、乗員が車内に入り一旦スイングドアが閉められた後は、ドア開閉ロック機構がロックモードに切り換え可能となるので、上記した事態の発生を回避することができる。
【発明を実施するための最良の形態】
【００１１】
以下、本発明の一実施形態について図面を用いて説明する。図１は本発明による車両用ドア開閉装置の一実施形態のブロック図を示していて、この車両用ドア開閉装置は、車体ＢＤとスイングドアＤＲ（図２参照）との間にドア開閉ロック機構１０を備えている。なお、ドア開閉ロック機構１０は各スイングドア毎に設けられており、図１では、例えば運転席ドアのドア開閉ロック機構１０のみを代表して示してある。ドア開閉ロック機構１０は、図１および図２（ａ），（ｃ）に示すように、ドア開閉ロックソレノイド１１とリンク１２とを備えている。ここで、図２（ａ）は、閉状態にあるスイングドアＤＲを模式的に示し、図２（ｃ）は、開放状態にあるスイングドアＤＲを模式的に示している。
【００１２】
ドア開閉ロックソレノイド１１は、ケース１１ａにてスイングドアＤＲの内部の所定部位に固定されている。ケース１１ａには、励磁コイル（図示省略）および係合部材１１ｂが組み込まれていて、励磁コイルの磁気力に応じて係合部材１１ｂが図示上下方向に直線運動するようになっている。
【００１３】
リンク１２は、その基端部にて車体ＢＤに固定され、スイングドアＤＲの内部に格納されるようになっている。リンク１２は、スイングドアＤＲの閉状態（図２（ａ））、開放状態（図２（ｃ））のいずれの状態においても、ドア開閉ロックソレノイド１１と所定の間隔で対向配置するように構成されていて、図２（ｂ）に示すように、その長手方向に等間隔で複数の係合孔１２ａを有している。
【００１４】
スイングドアＤＲが閉状態にある場合（図２（ａ））、ドア開閉ロックソレノイド１１の非励磁状態で、係合部材１１ｂが、最も車体ＢＤに近い係合孔１２ａに係合している。一方、ドア開閉ロックソレノイド１１の励磁状態で、係合部材１１ｂが、図２（ａ）にて破線で示すように、リンク１２の係合孔１２ａから離脱する。
【００１５】
スイングドアＤＲが開放状態（図２（ｃ））にある場合も同様であり、ドア開閉ロックソレノイド１１の非励磁状態で、係合部材１１ｂが、スイングドアＤＲの開放位置に応じた係合孔１２ａのうちの何れか一つに係合している。一方、ドア開閉ロックソレノイド１１の励磁状態で、係合部材１１ｂが、図２（ｃ）にて破線で示すように、リンク１２の係合孔１２ａから離脱する。
【００１６】
すなわち、ドア開閉ロック機構１０は、ドア開閉ロックソレノイド１１の非励磁状態でロックモードとなり、スイングドアＤＲを閉位置または開放位置に保持する。一方、ドア開閉ロック機構１０は、ドア開閉ロックソレノイド１１の励磁状態でロック解除モードとなり、閉位置または開放位置に保持されたスイングドアＤＲの開閉動作を許容するようになる。
【００１７】
図１に戻って、ドア開閉ロックソレノイド１１は、スイングドアＤＲの内部の所定部位に設けられたドア開閉ＥＣＵ２１に接続されている。ドア開閉ＥＣＵ２１（制御手段）は、ＣＰＵ、ＲＯＭ、ＲＡＭ、インタフェース部などからなるマイクロコンピュータを主要構成部品としており、ＲＯＭに記憶された図４のドアロック開閉制御プログラムを所定の短時間毎に繰り返し実行し、その実行に応じてドア開閉ロックソレノイド１１を励磁する。このドア開閉ＥＣＵ２１には、タッチセンサ２２，２３、解除スイッチ２４およびドア閉検出スイッチ２５が接続されている。
【００１８】
タッチセンサ２２（触れ検出手段）は、図３（ａ），（ｂ）に示すように、乗員がドアアウトサイドハンドルＯＨを操作する際に乗員の指が触れる同ハンドルＯＨにおける裏面側の所定部位に設けられている。タッチセンサ２２は、乗員の指の触れを検出したときオン信号をドア開閉ＥＣＵ２１に出力する。このタッチセンサ２２としては、例えば静電容量式・圧電式の圧力センサや、ストレンジゲージ式の力センサ、温度センサなど種々のセンサを用いることができる。
【００１９】
タッチセンサ２３（触れ検出手段）は、図３（ｃ），（ｄ）に示すように、乗員がドアインサイドハンドルＩＨを操作する際に乗員の指が触れる同ハンドルＩＨにおける裏面側の所定部位に設けられている。タッチセンサ２３も、タッチセンサ２２と同様のものであり、乗員の指の触れを検出したときオン信号をドア開閉ＥＣＵ２１に出力する。
【００２０】
解除スイッチ２４（ロック解除モード設定スイッチ）は、図３（ａ），（ｂ）に示すように、ドアアウトサイドハンドルＯＨの表面側の所定部位に設けられている。ドア開閉ＥＣＵ２１は、解除スイッチ２４のオン信号を取得したときはそのオン信号を記憶し、タッチセンサ２２，２３により指の触れが検出されないときも、ドア開閉ロック機構１０をロック解除モードに維持する。そして、ドア開閉ＥＣＵ２１は、ドア閉検出スイッチ２５（図１参照）によるスイングドアＤＲの閉じ信号（リセット信号）を取得したときは、解除スイッチ２４のオン信号を解除（無効化）する。ドア閉検出スイッチ２５は、スイングドアＤＲの閉じを検出してその検出信号をドア開閉ＥＣＵ２１に出力する。
【００２１】
次に、上記のように構成した実施形態の作動について説明する。ドア開閉ＥＣＵ２１は、図４のドアロック開閉制御プログラムを所定の短時間毎に繰り返し実行している。
【００２２】
このドアロック開閉制御プログラムは、ステップＳ１０にて実行が開始され、ステップＳ１１にて、タッチセンサ２３がオン信号を出力しているか否かを判定する。最初に、乗員が車室内にいてスイングドアＤＲが閉められており、乗員がタッチセンサ２３に触れていない場合について説明する。この場合には、ステップＳ１１〜Ｓ１３の何れも「Ｎｏ」と判定し、ステップＳ１４にてドア開閉ロック機構１０をロックモードに設定、すなわちドア開閉ロックソレノイド１１の非励磁状態を維持する（図２（ａ）参照）。そして、乗員がタッチセンサ２３に触れなければ、ステップＳ１１〜Ｓ１４の処理が繰り返し実行される。
【００２３】
ステップＳ１１〜Ｓ１４の処理が繰り返し実行されている状態から、乗員が降車するためにドアインサイドハンドルＩＨを操作してタッチセンサ２３に触れた場合には、ステップＳ１１にて「Ｙｅｓ」と判定し、ステップＳ１５にてドア開閉ロック機構１０をロック解除モードに設定、すなわちドア開閉ロックソレノイド１１を励磁状態とする（図２（ａ）の破線参照）。これにより、乗員はスイングドアＤＲを自由に開けることができる。スイングドアＤＲが開状態にあり、乗員がタッチセンサ２３に触れている状態が続けば、ステップＳ１１，Ｓ１５，Ｓ１６の処理が繰り返し実行される。この状態では、スイングドアＤＲの自由な開閉動作が可能である。
【００２４】
スイングドアＤＲが十分に開いた後、乗員が降車するときは、タッチセンサ２３から乗員の指が離れる。このため、ステップＳ１１〜Ｓ１４の処理によりドア開閉ロック機構１０が再びロックモードに設定される（図２（ｃ）参照）。この状態で、降車した乗員が車外からドアアウトサイドハンドルＯＨを操作してタッチセンサ２２に触れれば、ステップＳ１２にて「Ｙｅｓ」と判定し、ステップＳ１５にてロック解除モードが設定される（図２（ｃ）の破線参照）。これにより、乗員はスイングドアＤＲを自由に閉めることができる。その後、スイングドアＤＲが閉まれば、ステップＳ１６にて「Ｙｅｓ」、ステップＳ１７にて「Ｎｏ」と判定し、ステップＳ１９にてこのドアロック開閉制御プログラムの実行を終了する。
【００２５】
一方、降車した乗員がタッチセンサ２２に触れながらスイングドアＤＲを閉めるのではなく、ドアアウトサイドハンドルＯＨの解除スイッチ２４をオン操作した場合には、ステップＳ１１〜Ｓ１３，Ｓ１５，Ｓ１６の処理が繰り返し実行される。この状態では、タッチセンサ２２に触れなくても、スイングドアＤＲの自由な開閉動作が可能となる。そして、この場合には、スイングドアＤＲが閉まれば、ステップＳ１７にて「Ｙｅｓ」と判定し、ステップＳ１８にて解除スイッチ２４をオフ、すなわち解除スイッチ２４のオン信号を解除した後、ステップＳ１９にてこのドアロック開閉制御プログラムの実行を終了する。
【００２６】
次に、乗員が乗車する場合について説明する。この場合には、ドアアウトサイドハンドルＯＨを操作してタッチセンサ２２に触れた場合には、ステップＳ１２にて「Ｙｅｓ」と判定し、ステップＳ１５にてドア開閉ロック機構１０をロック解除モードに設定する（図２（ａ）の破線参照）。これにより、乗員はスイングドアＤＲを自由に開けることができる。スイングドアＤＲが開状態にあり、乗員がタッチセンサ２２に触れている状態が続けば、ステップＳ１１，Ｓ１２，Ｓ１５，Ｓ１６の処理が繰り返し実行される。この状態では、スイングドアＤＲの自由な開閉動作が可能である。
【００２７】
スイングドアＤＲが十分に開いた後、乗員が乗車するときは、タッチセンサ２２から乗員の指が離れる。このため、ステップＳ１１〜Ｓ１４の処理によりドア開閉ロック機構１０が再びロックモードに設定される（図２（ｃ）参照）。この状態で、乗車した乗員がドアインサイドハンドルＩＨを操作してタッチセンサ２３に触れれば、ステップＳ１１にて「Ｙｅｓ」と判定し、ステップＳ１５にてロック解除モードが設定される（図２（ｃ）の破線参照）。これにより、乗員はスイングドアＤＲを自由に閉めることができる。その後、スイングドアＤＲが閉まれば、ステップＳ１６にて「Ｙｅｓ」、ステップＳ１７にて「Ｎｏ」と判定し、ステップＳ１９にてこのドアロック開閉制御プログラムの実行を終了する。
【００２８】
乗員が乗車する際に、ドアアウトサイドハンドルＯＨの解除スイッチ２４をオン操作した場合には、ステップＳ１１〜Ｓ１３，Ｓ１５，Ｓ１６の処理が繰り返し実行される。この状態では、タッチセンサ２２，２３に触れなくても、スイングドアＤＲの自由な開閉動作が可能となる。そして、この場合には、スイングドアＤＲが閉まれば、ステップＳ１７にて「Ｙｅｓ」と判定し、ステップＳ１８にて解除スイッチ２４をオフした後、ステップＳ１９にてこのドアロック開閉制御プログラムの実行を終了する。
【００２９】
以上の説明からも明らかなように、この実施形態では、ステップＳ１１，Ｓ１２の処理によりタッチセンサ２２，２３による指の触れが検出されているときは、ステップＳ１５の処理によりドア開閉ロック機構１０が、開放位置に保持されたスイングドアＤＲの開閉動作を許容するロック解除モードに切り換えられる。これにより、スイングドアＤＲを開閉するために乗員がドアインサイドハンドルＩＨまたはドアアウトサイドハンドルＯＨに設けられたタッチセンサ２３，２２に触れていれば、ドア開閉ロック機構１０がロック解除モードに切り換えられるので、通常通りスイングドアＤＲの開閉を行うことができる。
【００３０】
ところで、この実施形態では、乗員がタッチセンサ２２または２３に触れながらスイングドアＤＲを開けている最中に、例えば車両後方からの強い風により開放中のスイングドアＤＲを乗員が支えきれなくなって、スイングドアＤＲが乗員の手から離れた場合には、ステップＳ１１〜Ｓ１４の処理によりドア開閉ロック機構１０がロックモードに切り換えられる。これにより、開放中のスイングドアＤＲがその開放位置に保持されるので、スイングドアＤＲが車両前方に向けて急激に大きく開くことが防止される。また、タッチセンサ２２，２３による指の触れの検出に応じてドア開閉ロック機構１０が作動されるので、従来技術のドア開閉装置に比してシステムが簡易になる。
【００３１】
また、この実施形態では、解除スイッチ２４がオン操作されたときは、タッチセンサ２２または２３により指の触れが検出されないときも、ステップＳ１５の処理によりドア開閉ロック機構１０がロック解除モードに設定される。したがって、風の影響によりスイングドアＤＲが急激に開くおそれがない場合には、解除スイッチ２４によるロック解除モードの設定により、乗員がドアアウトサイドハンドルＯＨのタッチセンサ２２に触れることなくスイングドアＤＲを車外から容易に閉めることができる。同様に、ロック解除モードの設定により、乗員がドアインサイドハンドルＩＨのタッチセンサ２３に触れることなくスイングドアＤＲを車内から容易に閉めることもできる。
【００３２】
また、この実施形態では、ドア閉検出スイッチ２５によりスイングドアＤＲの閉状態が検出されたときは、ステップＳ１８の処理により解除スイッチ２４のオン操作によるロック解除モード設定の効力が無効化されるように設定されている。このため、乗員が車内から車外に出ようとしたとき、例えば車両後方からの風によりスイングドアＤＲが勢いよく回動し始めて乗員の指がタッチセンサ２２から離れても、ステップＳ１３にて「Ｎｏ」と判定されるので、ステップＳ１４の処理によりドア開閉ロック機構１０がロックモードに切り換えられる。これにより、スイングドアＤＲが車両前方に向けて急激に大きく開く事態が回避される。
【００３３】
上記実施形態では、乗員が乗車しスイングドアＤＲが閉められた状態でタッチセンサ２３に触れていない場合には、ステップＳ１１〜Ｓ１４の処理によりドア開閉ロックソレノイド１１の非励磁状態となって、ドア開閉ロック機構１０がロックモードに設定されるように構成した。これにより、セキュリティ機能が向上する効果も得られた。しかし、これに代えて、スイングドアＤＲが閉状態にあるときは、ドア開閉ロック機構１０がロック解除モードに設定されるように構成してもよい。
【００３４】
また、上記実施形態では、解除スイッチ２４をドアアウトサイドハンドルＯＨのみに設けたが、これに加えて、ドアインサイドハンドルＩＨを含むスイングドアＤＲの内側部位に設けてもよい。
【００３５】
また、上記実施形態では、ロック解除モード設定スイッチとして、例えばタイマー型の解除スイッチを用いてもよい。この場合には、タイマー型の解除スイッチのオン操作によりドア開閉ロック機構１０がロック解除モードに設定され、乗員の昇降時間を加味した所定の短い時間の経過後にドア開閉ロック機構１０がロックモードに切り換えられるように構成すればよい。
【図面の簡単な説明】
【００３６】
【図１】本発明による車両用ドア開閉装置の一実施形態を示すブロック図。
【図２】（ａ）はスイングドアが閉状態にあるときのドア開閉ロック機構の作動状態を示す概略図。（ｂ）はドア開閉ロック機構の一構成要素であるリンクの平面図。（ｃ）はスイングドアが開放状態にあるときのドア開閉ロック機構の作動状態を示す概略図。
【図３】（ａ）はスイングドアを外側から見た概略図。（ｂ）はドアアウトサイドハンドルに設けられたタッチセンサおよび解除スイッチを示す概略図。（ｃ）はスイングドアを内側から見た概略図。（ｄ）はドアインサイドハンドルに設けられたタッチセンサを示す概略図。
【図４】図１に示したドア開閉ＥＣＵによって実行されるドア開閉制御プログラムを示すフローチャート。
【符号の説明】
【００３７】
ＢＤ  車体
ＤＲ  スイングドア
ＯＨ  ドアアウトサイドハンドル
ＩＨ  ドアインサイドハンドル
１０  ドア開閉ロック機構
１１  ドア開閉ロックソレノイド
１１ａ  ケース
１１ｂ  係合部材
１２  リンク
１２ａ  係合孔
２１  ドア開閉ＥＣＵ（制御手段）
２２，２３  タッチセンサ（触れ検出手段）
２４  解除スイッチ（ロック解除モード設定スイッチ）
２５  ドア閉検出スイッチ（ドア閉検出手段）
【図１】
2008248625.tif 000003
【図２】
2008248625.tif 000004
【図３】
2008248625.tif 000005
【図４】
2008248625.tif 000006